(57)【特許請求の範囲】
【請求項１】
ガスメーターケースと、
前記ガスメーターケースに設けられ、開口部を有した端子台ボックスと、
前記端子台ボックスの開口部を覆う端子台カバーと、
前記端子台カバーの一辺における端縁に形成され、前記端子台ボックス側部材に位置決め当接する接合部と、
前記接合部の近傍に位置する前記端子台カバーの裏側領域部分に設けられ、前記端子台カバーの裏側から突き出して先端部が前記接合部の位置側に向かうように中間部を屈曲した複数の係合爪部と、
前記複数の係合爪部に夫々対向するように前記端子台ボックスの位置に設けられ、前記係合爪部の先端部を夫々係合する複数の係合部と、
前記係合部を挟んで、前記端子台カバーの接合部を位置決め当接する部位とは反対側に位置して前記係合部との間に間隙を存して前記端子台ボックスに設けられ、前記間隙に差し込まれる前記係合爪部の前記先端部を前記係合部の裏側に廻り込ませて前記先端部を前記係合部に係合させる位置に前記係合爪部を案内し、前記先端部を前記係合部に係合させた位置で前記係合爪部の中間部を受け止めて前記係合爪部を支えるガイド面と、
を具備したことを特徴とするマイコンガスメーター。
【請求項２】
前記端子台カバーの接合部は、該端子台カバーの上縁部であり、前記端子台カバーの他の縁部に一つの取付けねじ孔を設け、前記取付けねじ孔に挿通される取付けねじで前記端子台カバーを前記端子台ボックスに締付けるようにしたことを特徴とする請求項１に記載のマイコンガスメーター。
【請求項３】
前記端子台ボックスは、合成樹脂材料によって成形され、前記端子台ボックスに前記ガイド面及び係合部が前記端子台ボックスと一体に設けたことを特徴とする請求項１または請求項２に記載のマイコンガスメーター。
【請求項４】
前記端子台カバーは、合成樹脂材料によって成形され、前記係合爪部が該端子台カバーと一体に設けられていることを特徴とする請求項１または請求項２に記載のマイコンガスメーター。
【発明の詳細な説明】
【技術分野】
【０００１】
この発明は、ガスの異常使用時、地震発生時あるいはガス圧力低下時、その他の緊急時にガスの流通を遮断する遮断弁を備えたマイコンガスメーターに関する。
【背景技術】
【０００２】
ガスメーターケースの内部に遮断弁、地震を感知する感震器及びガス圧力低下を感知する圧力センサ及び制御回路を内蔵し、ガスの異常使用時、地震時あるいはガス圧力低下時等の緊急時に遮断弁としての双方向遮断弁を作動させてガスの流通を遮断するようにしたマイコンガスメーターが知られている（例えば、特許文献１参照。）。
【０００３】
このマイコンガスメーターは、例えば、図５〜図７に示すように構成されている。すなわち、ガスメーターケース１が上部ケース２と下部ケース３とから構成されている。上部ケース２にはガス配管に接続されるガス流入口金４、ガス流出口金５が設けられ、上部ケース２の内部にはガス流通路を遮断する遮断弁（図示しない）等が設けられている。下部ケース３にはコントローラケース６が設けられ、このコントローラケース６には前記遮断弁の復帰ボタン７、キュリティ表示部８を設けた表示パネル９が設けられている。
【０００４】
コントローラケース６の内部には前記遮断弁を制御する電子回路を有するプリント基板１０が設けられ、このプリント基板１０には電池１０ａ，リードスイッチ１０ｂ等が設けられている。プリント基板１０は端子台１１等を収納する端子台ボックス１２の内部まで延長している。また、端子台ボックス１２は前面が開口する開口部１３を有し、開口部１３の左右両側部には金具１４がインサート成形され、この金具１４には取付けねじ孔１５が設けられている。
【０００５】
端子台ボックス１２の開口部１３は端子台カバー１６によって覆われるようになっており、この端子台カバー１６には取付けねじ孔１５に対応して取付けねじ１７が設けられている。そして、端子台ボックス１２の開口部１３を端子台カバー１６によって覆い、２本の取付けねじ１７を取付けねじ孔１５に位置決めした状態で、取付けねじ１７を取付けねじ孔１５に締付けることにより、端子台カバー１６がコントローラケース６に取付けられている。
【特許文献１】特開２０００−２９２２３７号公報
【発明の開示】
【発明が解決しようとする課題】
【０００６】
しかしながら、従来の端子台カバー１６は２本の取付けねじ１７によってコントローラケース６に取付けているため、端子台カバー１６の取付け時に、２本の取付けねじ１７を取付けねじ孔１５に位置決めするする必要があり、取付け及び取り外しが面倒である。また、端子台ボックス１２に金具１４をインサート成形し、この金具１４に取付けねじ孔１５を設けているため、部品点数も多くなり、成形が煩雑となり、コストアップの原因となっている。
この発明は、前記事情に着目してなされたもので、その目的とするところは、端子台カバーの取付け及び取り外しが簡単であるとともに、コストダウンを図ることができるマイコンガスメーターを提供することにある。
【課題を解決するための手段】
【０００７】
この発明は、前述した目的を達成するために、請求項１は、ガスメーターケースと、前記ガスメーターケースに設けられ、開口部を有した端子台ボックスと、前記端子台ボックスの開口部を覆う端子台カバーと、前記端子台カバーの一辺における端縁に形成され、前記端子台ボックス側部材に位置決め当接する接合部と、前記接合部の近傍に位置する前記端子台カバーの裏側領域部分に設けられ、前記端子台カバーの裏側から突き出して先端部が前記接合部の位置側に向かうように中間部を屈曲した複数の係合爪部と、前記複数の係合爪部に夫々対向するように前記端子台ボックスの位置に設けられ、前記係合爪部の先端部を夫々係合する複数の係合部と、前記係合部を挟んで、前記端子台カバーの接合部を位置決め当接する部位とは反対側に位置して前記係合部との間に間隙を存して前記端子台ボックスに設けられ、前記間隙に差し込まれる前記係合爪部の前記先端部を前記係合部の裏側に廻り込ませて前記先端部を前記係合部に係合させる位置に前記係合爪部を案内し、前記先端部を前記係合部に係合させた位置で前記係合爪部の中間部を受け止めて前記係合爪部を支えるガイド面と、を具備したことを特徴とするマイコンガスメーターである。
【０００８】
請求項２は、前記端子台カバーの接合部は、該端子台カバーの上縁部であり、前記端子台カバーの他の縁部に一つの取付けねじ孔を設け、前記取付けねじ孔に挿通される取付けねじで前記端子台カバーを前記端子台ボックスに締付けるようにしたことを特徴とする請求項１に記載のマイコンガスメーターである。
【０００９】
請求項３は、請求項１または請求項２に記載のマイコンガスメーターにおいて、前記端子台ボックスは、合成樹脂材料によって成形され、前記端子台ボックスに前記ガイド面及び係合部が前記端子台ボックスと一体に設けたことを特徴とする。
【発明の効果】
【００１０】
この発明によれば、端子台カバーの取付け及び取り外しが簡単であるとともに、マイコンガスメーターの部品点数が減少し、マイコンガスメーターのコストダウンを図ることができるという効果がある。
【発明を実施するための最良の形態】
【００１１】
以下、この発明の実施の形態を図面に基づいて説明する。
【００１２】
図１〜図４はマイコンガスメーターの第１の実施形態を示し、図１はマイコンガスメーターの正面図、図２はコントローラケースの縦断側面図、図３（ａ）（ｂ）は端子台カバーの取付け作用説明図、図４は係合部と係合爪部との斜視図であり、従来と同一構成部分は同一番号を付して説明を省略する。
コントローラケース２１は合成樹脂材料によって一体成形され、このコントローラケース２１は複数本の固定ねじ２２によって下部ケース３の前部に固定されている。コントローラケース２１の下部には端子台ボックス２３が一体に設けられ、この端子台ボックス２３は周壁２４と前面が開口する開口部２５とから構成されている。端子台ボックス２３の背面にはコントローラケース２１から延長してプリント基板１０が設けられ、このプリント基板１０には端子台１１が固定されている。
【００１３】
端子台ボックス２３の上縁部２３ａの左右両側部における周壁２４の内側面には内方に突出するそれぞれ２つの突出部２６，２７が左右対称的に設けられている。一方の突出部２６には略４５°の傾斜面からなるガイド部２８が形成され、他方の突出部２７にはガイド部２８と略平行するように傾斜面からなる係合部２９が形成されている。そして、ガイド部２８と係合部２９は離間対向しており、両者間には後述する係合爪部３７が進入する間隙部３０が設けられている。さらに、端子台ボックス２３の下縁部２３ｂの略中央部における周壁２４の外部には単一の取付けねじ孔３１が設けられている。
【００１４】
また、端子台ボックス２３にはこの開口部２５を閉塞する端子台カバー３２が設けられている。この端子台カバー３２はコントローラケース２１と同様に合成樹脂材料によって一体成形され、この端子台カバー３２には端子台ボックス２３の上縁部２３ａと接合する接合部３３と端子台ボックス２３の周壁２４の外側に嵌合する周壁３４が設けられている。
【００１５】
さらに、端子台カバー３２の接合部３３側における内面部には端子台ボックス２３のガイド部２８と係合部２９に対応して左右一対の略Ｌ字状の突起部３５が背中合せ状態に設けられている。この突起部３５の外側部には端子台ボックス２３のガイド部２８にガイドされるガイド面３６が形成され、内側部、つまり端子台カバー３２の内面部に対向する位置には端子台ボックス２３の係合部２９に係合される係合爪部３７が形成されている。
【００１６】
ガイド面３６と係合爪部３７は略平行するように傾斜面によって形成され、その傾斜角はガイド部２８及び係合部２９と一致し、ガイド面３６がガイド部２８を摺動して係合爪部３７が間隙部３０を進入して係合部２９に係合されるように構成されている。
【００１７】
さらに、端子台カバー３２の下縁部における周壁３４には取付けねじ孔３１に対応する単一の凹陥部３８が設けられ、この凹陥部３８の底部には取付け孔３９が穿設されている。そして、この取付け孔３９には取付けねじ４０が挿通され、取付けねじ孔３１に締付けられるようになっている。
次に、端子台ボックス２３の開口部２５を端子台カバー３２によって閉塞した状態に端子台カバー３２を端子台ボックス２３に取付ける場合について説明する。先ず、図３（ａ）に示すように、端子台カバー３２を斜めにして接合部３３を端子台ボックス２３上縁部２３ａに位置決めすると、係合爪部３７が突出部２６と２７との間の間隙部３０に対向する。
この状態で、端子台カバー３２を、図３（ａ）に示す矢印Ｂ方向に押し上げると、係合爪部３７が突出部２６と２７との間の間隙部３０に進入するとともに、ガイド面３６がガイド部２８に接合する。端子台カバー３２をさらに矢印Ｂ方向に押し上げると、ガイド面３６がガイド部２８を摺動しながら係合爪部３７が係合部２９に係合する。
【００１８】
次に、端子台カバー３２の下縁部を、図３（ｂ）に示すように矢印Ｃ方向に回動して端子台ボックス２３に押付けると、端子台ボックス２３に端子台カバー３２が嵌合し、係合爪部３７が係合部２９に係合するとともに、ガイド面３６がガイド部２８に接合した状態となる。この状態で、取付けねじ４０を取付けねじ孔３１に締付けると、端子台カバー３２が端子台ボックス２３の開口部２５を閉塞した状態に取付けられる。
また、端子台カバー３２を取り外す際には、取付けねじ４０を緩めて取付けねじ孔３１から抜き取り、端子台カバー３２の下縁部３２ｂを矢印Ｃ方向と逆方向に引き上げる。すると、端子台カバー３２の係合爪部３７が突出部２６と２７との間の間隙部３０から脱出し、ガイド部２８がガイド面３６を摺動して係合爪部３７が係合部２９から外れ、係合爪部３７と係合部２９との係合が解除される。従って、端子台カバー３２を端子台ボックス２３から取り外すことができ、端子台１１に対する配線作業、保守点検を容易に行うことができる。
このように、端子台カバー３２は２つの係合部位と１つの締付け部の３点で端子台ボックス２３に取付けることができ、端子台カバー３２の取付け及び取り外しが簡単である。しかも１本の取付けねじ４０によって取付けが可能であり、従来のように金具をインサート成形する必要がなく、コストダウンを図ることができる。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００１９】
【図１】この発明の第１の実施形態を示し、マイコンガスメーターの正面図。
【図２】同実施形態を示し、コントローラケースの縦断側面図。
【図３】同実施形態を示し、（ａ）（ｂ）は端子台カバーの取付け作用説明図。
【図４】同実施形態を示し、係合部と係合爪部の斜視図。
【図５】従来のマイコンガスメーターの正面図。
【図６】従来のマイコンガスメーターの端子台カバーを取り外した状態の正面図。
【図７】従来のマイコンガスメーターを示し、コントローラケースの縦断側面図。
【符号の説明】
【００２０】
１…ガスメーターケース、２…上部ケース、３…下部ケース、４…ガス流入口金、５…ガス流出口金、２１…コントローラケース、２３…端子台ボックス、２８…ガイド部、２９…係合部、３１…取付けねじ孔、３２…端子台カバー、３６…ガイド面、３７…係合爪部、４０…取付けねじ
【図１】
0005331296.tif 000002
【図２】
0005331296.tif 000003
【図３】
0005331296.tif 000004
【図４】
0005331296.tif 000005
【図５】
0005331296.tif 000006
【図６】
0005331296.tif 000007
【図７】
0005331296.tif 000008